(57)【要約】【課題】環状ガスケットでありながら、容易にガスケットを施工し止水性を確保できるとともに、ガスケットの目地意匠性を向上するガスケットを提供する。【解決手段】建物の外壁パネル１０、１０間に形成される目地に取り付けられる長尺のガスケット１であって、ガスケット１のヒレ７が外壁パネル１０の目地への取り付け状態において、もう一方の外壁パネル１０の側面に押圧されて固定部２との接続点を支点として止水部３側に折れ曲がり、ヒレの先端の突接部８がガスケット１の凹部６に圧接し環状の止水部３が凹部６で環状内側に屈曲した態様で取り付けられるガスケット１により解決される。【選択図】    図１
2010013899.tif 000002
【特許請求の範囲】
【請求項１】
建物の外壁パネル間に形成される目地に取り付けられる長尺のガスケットであって、
一方の外壁パネルの側面に固定される固定部と、
環状の止水部とからなり、
該環状の止水部は目地表面を形成する化粧部ともう一方の外壁パネルの側面に面する面部を有し、
面部には環状内側に向けて凹部が形成され、
外壁パネル間の目地への前記ガスケットの取り付け状態において、ガスケットの環状の止水部が前記凹部で環状内側に屈曲した態様で取り付けられることを特徴とするガスケット。
【請求項２】
前記固定部の端部に突接部を有するヒレが設けられ、
外壁パネル間の目地への前記ガスケットの取り付け状態において、ヒレが前記もう一方の外壁パネルの側面に押圧されて固定部との接続点を支点として止水部側に折れ曲がり、
突接部が前記凹部に圧接し環状の止水部が前記凹部で環状内側に屈曲した態様で取り付けられる請求項１に記載のガスケット。
【請求項３】
前記突接部がヒレの先端部から略直角に延出している請求項２に記載のガスケット。
【請求項４】
ガスケットの材質よりも硬質の芯材が固定部及び化粧部の一部に内包されている請求項１乃至３に記載のガスケット。
【請求項５】
外壁を構成する外壁パネルの側面に請求項１乃至４に記載のガスケットの固定部が止水状態で固定された外壁パネル。
【発明の詳細な説明】
【技術分野】
【０００１】
本発明は、建物の外壁パネル間に形成される目地に取り付けられるガスケット及びガスケットが取り付けられた外壁パネルに関する。
【背景技術】
【０００２】
外壁パネル間の目地部に不定形のコーキング材を充填する湿式工法に変えて定型のガスケットを挿入する乾式工法が広く提案されている。
【０００３】
乾式工法を採用することにより、施工の省力化、品質管理項目の削減、品質の安定が図れるなどの点が評価されさまざまな形状のガスケットが提案されている。
【０００４】
【特許文献１】特開２００１−２６２７２２号公報
【発明の開示】
【発明が解決しようとする課題】
【０００５】
しかし、乾式工法では定型のガスケットを用いて施工するため挿入する外壁パネル間の目地幅にばらつきがあるとガスケットの止水性に影響を与えるとともにガスケットの仕上げについても見栄えのよいものを提供することが難しかった。
【０００６】
目地幅のばらつきに対応することを目的として断面が環状のいわゆる環状ガスケットが提案されている。環状ガスケットは外壁パネルの施工後形成された目地部に後から挿入するタイプと目地を形成する外壁パネルのいずれか一方の側面に先に固定しておき、外壁パネルの施工完了と同時にガスケットの施工が終了しているタイプとがある。
【０００７】
どちらのタイプも、目地幅にばらつきがある場合に環状ガスケットの形状が変形することで目地幅のばらつきを吸収し止水性を確保するものではあるが、目地幅のばらつきに対応してガスケットの形状が変化するため、完成した目地幅のばらつきだけでなく、ガスケットの変形による目地の外観の違いが生じ、建物の外観の悪化が問題点となっていた。
【０００８】
特に環状ガスケットを外壁の側面に先に固定しておくタイプでは図６に示すように外壁パネルの施工によって、ガスケットが目地の外に飛び出した状態で施工されるといったことが生じ、外壁パネルの施工後にガスケットの納まり状態を修正するといった作業が必要であった。
【０００９】
本発明は、以上のような問題点に鑑み、環状ガスケットでありながら、容易にガスケットを施工し止水性を確保できるとともに、ガスケットの目地意匠性を向上するガスケットを提供することを課題とする。
【課題を解決するための手段】
【００１０】
上記の課題は、建物の外壁パネル間に形成される目地に取り付けられる長尺のガスケットであって、
一方の外壁パネルの側面に固定される固定部と、
環状の止水部とからなり、
該環状の止水部は目地表面を形成する化粧部ともう一方の外壁パネルの側面に面する面部を有し、
面部には環状内側に向けて凹部が形成され、
外壁パネル間の目地への前記ガスケットの取り付け状態において、ガスケットの環状の止水部が前記凹部で環状内側に屈曲した態様で取り付けられることを特徴とするガスケットにより解決される。
【００１１】
このガスケットでは、面部の中央部に環状内側に向けて凹部が形成されているため、外壁パネルの目地間への前記ガスケットの取り付け状態においてガスケットの環状の止水部が凹部で環状内側に屈曲し、ガスケットは面部が屈曲した態様で取り付けられるため、ガスケットの目地表面を形成する化粧部が折れ曲がったり、化粧部の一部が外壁パネル間に挟まれて目地より外部にはみ出してしまうことがなく、ガスケットを確実に目地内に納めることができる。
【００１２】
特に、外壁パネルの施工後に目地部の修正を行わなくても、ガスケットを目地内に納めることができる。
【００１３】
上記ガスケットにおいて、前記固定部の端部に突接部を有するヒレが設けられ、
外壁パネル間の目地への前記ガスケットの取り付け状態において、ヒレが前記もう一方の外壁パネルの側面に押圧されて固定部との接続点を支点として止水部側に折れ曲がり、
突接部が前記凹部に圧接し環状の止水部が前記凹部で環状内側に屈曲した態様で取り付けられるとよい。
【００１４】
固定部の端部に突接部を有するヒレが設けられているので、外壁の目地間への前記ガスケットの取り付け状態において、ヒレが前記もう一方の外壁パネルの側面に押圧されて固定部との接続点を支点として止水部側に折れ曲がり、
突接部が凹部に圧接し、ガスケットの環状の止水部が凹部で確実に環状内側に屈曲するため、ガスケットを確実に目地内に納めることができる。
【００１５】
また、突接部がヒレの先端部から略直角に延出しているとよい。突接部がヒレの先端部から略直角に延出しているので、これによりヒレが外壁パネルの側面に押圧されて固定部との接続点を支点として止水部側に折れ曲がり、突接部の先端が止水部側を向くとともに、外壁パネルから受ける押圧力を環状の止水部の内側に向けて作用させることができるため、突接部がガスケットの凹部に対して確実に圧接することができる。
【００１６】
さらに、ガスケットの材質よりも硬質の芯材が固定部及び化粧部の一部に内包されているとよい。固定部及び化粧部の一部にガスケットの材質よりも硬質の芯材が内包されていることで、固定部及び化粧部の一部は剛性が上がり、長手方向に直線状態を保つことができ、ガスケットの外壁パネルの側面への取り付けを確実に行えるとともに、止水部に設けられた凹部での屈曲をより一層確実に実現することができる。
【００１７】
外壁パネルの側面に上記のガスケットの固定部が止水状態で固定された外壁パネルであっても本発明の課題は解決することができる。
【発明の効果】
【００１８】
本発明は以上のとおりであるから、ガスケットの目地表面を形成する化粧部が折れ曲がったり、化粧部の一部が外壁パネル間に挟まれて目地より外部にはみ出してしまうことがなく、ガスケットを確実に目地間に納めることができる。
【発明を実施するための最良の形態】
【００１９】
次に、本発明の実施最良形態を図面に基づいて説明する。
【００２０】
図１に示す第１実施形態において、１はガスケット、２は固定部、３は止水部、４は化粧部、５は面部、６は凹部、７はヒレ、８は突接部、９は芯材、１０は外壁である。
【００２１】
ガスケット１はゴム又は樹脂製の可撓性を有する材質からなる長尺物であり、外壁１０の側面に取り付けられる固定部２と環状の止水部３と固定部２の端部に設けられたヒレ７により構成される。環状の止水部３は固定部２の一部と化粧部４と面部５により構成され、断面視略ホームベース状となっている。言い換えれば、止水部３は固定部２の屋外側の端部から略直角状に延出して化粧部４が形成され、わん曲部３ｂでわん曲して屋内側に延びる面部５が形成され、面部は頂部３ａで屋外側に折り返すように屈曲して、固定部につながって環状を成している。屋外側に位置する化粧部４の表面部４ａには建物の外壁にあった着色が施されている。面部５には環状内側に凹んだ凹部６が形成されている。また、固定部の止水部を有する側と反対の端部に設けられたヒレ７は先端に略直角に延出した突設部８を有している。ここでヒレ７及び突設部８は後述するようにガスケット１の外壁パネル目地の間への取付状態で突設部８が凹部６と確実に嵌合し、圧接する形状に形成されている。芯材９は固定部２と化粧部４の一部にわたって内包されている断面視Ｌ形の金属板からなる。
【００２２】
ガスケット１の外壁パネル間の目地への取付状態において、ヒレ７が外壁パネル１０の側面に押圧されて固定部２との接続点を支点として止水部３側に折れ曲がり、突接部８が凹部６に圧接することで、環状の止水部３が凹部６で環状内側に折れ曲がるため、ガスケット１の外壁間への取付状態においてガスケット１を目地部からはみ出ることなく、取り付けることができる。
【００２３】
ヒレ７が外壁パネル１０の側面に押圧されて固定部２との接続点を支点として止水部３側に折れ曲がり、突接部８が凹部６に圧接することができるように、ヒレ７は固定部２との接続点から突出し、中間点で固定部側に曲がる曲がり部７ａが形成されて断面視略Ｓ字状に形成されている。芯材９により固定部２が折れ曲がることなくヒレ７が固定部２との接続点で折れ曲がるとともに、ヒレ７の断面視略Ｓ字状の形状が外壁の目地幅に対応して止水部側に変位して、突接部８が凹部６に圧接することを可能としている。
【００２４】
凹部６における折れ曲がりにおいて、ガスケット１の断面視略ホームベース状の頂部３ａの屈曲による折れ曲がりと、化粧部４と面部６との境界であるわん曲部３ｂの屈曲による折れ曲がりと相まって、凹部６で折れ曲がることによってガスケット１が外壁パネル１０，１０間に密着した状態で取り付けられる。
【００２５】
ガスケット１の外壁パネル１０，１０への取り付けは、外壁パネルの施工前に外壁パネル１０の側面に止水性能を有する両面テープ１１を介してガスケット１の固定部を取り付けることにより行われる。固定部２は芯材９を内包しているため、固定部２は折れ曲がることなく平坦な面を形成し、外壁パネル１０の側面に確実に取り付けることができる。
なお、ガスケット１の外壁パネルへの取り付けは現場において、外壁パネルの施工前に行われてもよいし、外壁パネルを製造する工場内において行われてもよい。また、止水性の両面テープの代わりに接着剤を用いて固定してもよい。要は外壁パネル１０の側面とガスケット１の固定部２との間において、止水性が確保される態様で固定されればよい。
【００２６】
外壁パネルの施工は、図２（イ）に示すように目地部を基準にすると目地部を構成する２体の外壁パネル１０、１０のうち、外壁パネル１０の側面にガスケット１が固定されていない外壁パネル１０を先に建物の躯体側に取り付ける。そして、図２（ロ）に示すように既設の外壁パネル１０に対し、側面にガスケット１が固定された外壁パネル１０を既設の外壁パネルに対して屋外側から屋内側へスライドさせながら施工する。つまり、ガスケット１のヒレ７を既設の外壁パネル１０に押し付けるようにして施工する。
【００２７】
ガスケット１が固定された外壁パネル１０を屋外側から屋内側へとスライドさせながら外壁パネル１０を躯体に取り付けていくと、ガスケット１のヒレ７が既設の外壁パネル１０の側面に当たり、ヒレ７が既設の外壁パネル１０の側面に押圧されて固定部２との接続点を支点として止水部３側に折れ曲がる。ヒレ７の先端にある突設部８がガスケット１の凹部６に圧接し、環状の止水部３が凹部６において環状内側に屈曲し、ガスケット１の断面視略ホームベース状の頂部３ａの折れ曲がりと、化粧部４と面部５との境界であるわん曲部３ｂの折れ曲がりと相まって凹部６で折れ曲がることによって、２体の外壁パネル１０，１０で形成された目地部において、ガスケットの一部が目地部からはみ出ることなく、ガスケット１を外壁パネル１０，１０に密着した状態で取り付けることができる。
【００２８】
図３に示すようにヒレ７が外壁パネル１０の側面に押圧されて固定部２との接続点を支点として止水部３側に折れ曲がることによって、突設部８がガスケット１の凹部６に圧接し、環状の止水部３が凹部６で環状内側に屈曲する。ここで図３（イ）（ロ）（ハ）はそれぞれ外壁パネル間の目地幅が異なり、図（イ）は幅の狭い目地、（ハ）は幅の広い目地、（ロ）はその中間の幅の目地である。このように外壁パネル１０、１０間の目地幅が異なれば、ヒレ７の折れ曲がり量が異なり、それに応じて凹部６への圧接力も異なるため、環状の止水部３の凹部６の折れ曲がり量すなわち凹み具合が調整される。結果的に目地幅に応じて環状の止水部の凹部６の折れ曲がり量が変化することとなり目地幅に応じて環状の止水部３が目地からはみ出ることなくきちんと目地内に納まることとなる。
【００２９】
図４に示す本発明第２実施形態のガスケット２０は第１の実施形態のガスケット１からヒレを取り除いた形状であり、それ以外の部分は同じである。ガスケット２０についてもガスケットの面部が外壁の側面に押圧されて、凹部６で屈曲することで、２体の外壁１０，１０で形成された目地部において、ガスケットの一部が目地部からはみ出ることなく、ガスケット２０を外壁パネル１０，１０間に密着した状態で取り付けることができる。
【００３０】
特にガスケット２０ではガスケット１と異なり、外壁パネルの施工は、目地部を基準にすると目地部を構成する２体の外壁パネル１０、１０のうち、側面にガスケット２０が固定されているほうの外壁パネル１０を先に建物の躯体側に取り付ける。そして、既設の外壁パネル１０に対し、側面にガスケット２０が固定されていない外壁パネル１０を既設の外壁に対して屋外側から屋内側へスライドさせながら施工する。そうすることによって、ガスケット２０の止水部がもう一方の外壁パネルの端部に押し付けられることにより、ガスケット２０は凹部６において屈曲することとなる。
【００３１】
以上に、本発明の実施形態を示したが、本発明はこれに限られるものではなく、発明思想を逸脱しない範囲で各種の変更が可能である。例えば、外壁パネルの施工は、先に建物の躯体側に取り付けた外壁パネルに対し、ガスケットを取り付けたもう一方の外壁パネルを屋外側から屋内側に水平にスライドさせる場合だけでなく、先に建物の躯体側に取り付け外壁パネルに対し、もう一方のガスケットを取り付けた外壁パネルを屋外側に配置し、地面に対し水平状態から垂直状態に起こしていき、既設の外壁パネルに対して下端部側から順に添うようにして施工してもよい。
【００３２】
また、上記の実施形態では、ガスケットを外壁パネルに先に取り付けている場合について示したが、先に取り付ける場合に限定されず、図５に示すように外壁パネルの施工後形成された目地部にガスケットを挿入してもよい。
【００３３】
更に、上記の実施形態では２体の外壁パネル１０，１０間にガスケットを取り付ける場合について示したが、２体以上の外壁パネルが連続して施工される場合にも適用できる。すなわち片方の側面にガスケットを取り付けた外壁パネルを複数用意し、これらの外壁パネルを順次躯体に取り付けていくことによって複数の外壁パネルの間に形成される複数の目地にガスケットを取り付けることができる。
【図面の簡単な説明】
【００３４】
【図１】図（イ）は本発明の第１の実施形態を示すガスケットの断面図、図（ロ）はガスケットを外壁パネルの目地間に取り付けた状態を示す断面図である。
【図２】図（イ）、（ロ）、（ハ）はガスケットを固定した外壁パネルを施工する状況を順次示した断面図である。
【図３】図（イ）、（ロ）、（ハ）はそれぞれ異なる目地幅の外壁パネルの目地間に取り付けられたガスケットの状況を示す断面図であって、図（イ）は幅の狭い目地、（ハ）は幅の広い目地、（ロ）はその中間の幅の目地である。
【図４】図（イ）は本発明の第２の実施形態を示すガスケットの断面図、図（ロ）はガスケットを外壁パネルの目地間に取り付けた状態を示す断面図である。
【図５】図（イ）は外壁パネルの施工後にガスケットを取り付ける施工状況を示す断面図、図（ロ）は施工後の状況を示す断面図である。
【図６】従来例を示す図であって、図（イ）は施工前の状況を示す断面図、図（ロ）は施工後の取り付け状況を示す断面図である。
【符号の説明】
【００３５】
１、２０・・・ガスケット
２・・・固定部
３・・・止水部
３ａ・・頂部
３ｂ・・わん曲部
４・・・化粧部
４ａ・・表面部
５・・・面部
６・・・凹部
７・・・ヒレ
８・・・突設部
９・・・芯材
１０・・外壁パネル
【図１】
2010013899.tif 000003
【図２】
2010013899.tif 000004
【図３】
2010013899.tif 000005
【図４】
2010013899.tif 000006
【図５】
2010013899.tif 000007
【図６】
2010013899.tif 000008